(57)【特許請求の範囲】
【請求項１】
給電により往復回動し且つ給電量に応じて回動状態が変化するアクチュエータと、
該アクチュエータに連動して開閉動作しカメラの露光操作を実行するセクターと、
該アクチュエータに可変の給電を行ないその回動状態を変化させる事でこれに連動するセクターの動作状態を制御し露光量の調節が可能になる給電回路と、
露光操作に先立って被写体の輝度情報を取り込む測光回路と、
該輝度情報に応じて該給電回路から該アクチュエータに供給される給電量を変化させて被写体に適した露光量の制御を行なう制御回路とを備え、
前記給電回路は駆動回路とこれを給電する電源可変回路とからなり、
該駆動回路は露光操作により該制御回路から出力されるタイミング信号に応じて該アクチュエータを通電し、
該電源可変回路は電源電圧に対する分圧抵抗を備えており、該輝度情報に対応して該制御回路から出力される切り換え信号に応じて該分圧抵抗を段階的に切り換えて該タイミング信号に対応して該駆動回路から該アクチュエータへ供給される給電量を多段的に変化させて露光量を調節するカメラ用シャッター装置。
【請求項２】
露光操作に同期してストロボ発光を行なうストロボ回路を付属しており、前記制御回路は少なくとも該輝度情報に応じて該ストロボ回路を制御し被写体の状況に基づいて必要な場合該ストロボ発光を実行する請求項１記載のカメラ用シャッター装置。
【請求項３】
前記制御回路は被写体の状況に応じて該ストロボ回路を制御しストロボ発光量の調節を可能とする請求項２記載のカメラ用シャッター装置。
【請求項４】
前記制御回路は被写体の状況に応じて該ストロボ回路を制御しストロボ発光タイミングの調節を可能とする請求項２記載のカメラ用シャッター装置。
【請求項５】
前記セクターは、該アクチュエータの回動範囲及び回動速度に応じてその開閉動作範囲及び開閉動作速度が変化する事で露光量の調節が可能になる請求項１記載のカメラ用シャッター装置。
【請求項６】
前記アクチュエータは被写体の輝度が低い程上方に切り換えられる給電量に応じてその回動範囲及び回動速度が上方に変化し、これに連動するセクターの開閉動作により露光量が上方調節される請求項５記載のカメラ用シャッター装置。
【発明の詳細な説明】
【０００１】
【発明の属する技術分野】
本発明はカメラ用のシャッター装置に関する。より詳しくは、カメラ用シャッター装置における露出制御技術に関する。
【０００２】
【従来の技術】
カメラは高級なものから低級なものまで多種多様であり、比較的低価格のカメラには簡便な機構のシャッター装置が採用されている。最も簡単な装置の１つとして、単速シャッターが知られている。これは、予め固定された速度でレンズのアパーチャーに対しセクター（シャッター羽根）を走行させる構造である。又、左右に異なる径の開口を有したセクターを中央の休止位置から左右何れか一方に回動して露光操作を行なうシャッター装置も知られている。これは、口径が異なる左右何れか一方の開口を選択する事で単純な露出制御（露光量制御）が行なわれる。さらには、被写体の輝度やフィルムの感度に応じて所定のアルゴリズムに従い自動的な露光制御（ＡＥ）が可能なシャッター装置も知られている。ＡＥに必要なデータやプログラムを格納する為ＲＯＭ等のメモリが必要である。
【０００３】
【発明が解決しようとする課題】
第１に説明した単速シャッター装置は機構的に簡単であるものの、被写体輝度等に合わせた露出制御はできない。従って、カメラ撮影が可能な被写体輝度の範囲（以下、撮影範囲）が狭く、しばしばオーバー露出やアンダー露出が生じる。又、第２に説明した左右回動型のシャッター装置は少なくとも２段階の露出制御が可能であるものの、セクターの左右回動を可能とするスペースが必要になり、コンパクト化の妨げになるという課題がある。又、２段階程度の露出制御では最初の単速シャッター装置に比較して若干撮影範囲が拡大する程度である。さらに第３に説明したＡＥシャッター装置では自動露出制御を行なう為大容量のメモリが必要となりコストアップの要因になるという課題がある。
【０００４】
【課題を解決するための手段】
上述した従来の技術の課題を解決する為、本発明は比較的簡単な構造で露出制御が可能な低価格且つスペースファクタに優れたカメラ用シャッター装置を提供する事を目的とする。かかる目的を達成する為に以下の手段を講じた。即ち、本発明にかかるカメラ用シャッター装置はアクチュエータとセクターと給電回路と測光回路と制御回路とを備えている。アクチュエータは給電により往復回動し且つ給電量（電圧又は電流）に応じて回動状態が変化する。セクターは該アクチュエータに連動して開閉動作しカメラの露光操作を実行する。給電回路は該アクチュエータに可変の給電を行ないその回動状態を変化させる事で、該アクチュエータに連動するセクターの動作状態を制御し露光量の調節が可能になる。測光回路は露光操作に先立って被写体の輝度情報を取り込む。制御回路は該輝度情報に応じて該給電回路から該アクチュエータに供給される給電量（電圧又は電流）を変化させて被写体に適した露光量の制御を行なう。ここで前記給電回路は駆動回路とこれを給電する電源可変回路とからなる。該駆動回路は露光操作により該制御回路から出力されるタイミング信号に応じて該アクチュエータを通電する。該電源可変回路は電源電圧に対する分圧抵抗を備えており、該輝度情報に対応して該制御回路から出力される切り換え信号に応じて該分圧抵抗を段階的に切り換えて該タイミング信号に対応して該駆動回路から該アクチュエータへ供給される給電量を多段的に変化させて露光量を調節する。
【０００５】
好ましくは、本カメラ用シャッター装置は露光操作に同期してストロボ発光を行なうストロボ回路を付属している。この場合、前記制御回路は少なくとも輝度情報に応じて該ストロボ回路を制御し被写体の状況に基づいて必要な場合ストロボ発光を実行する。さらに好ましくは、前記制御回路は被写体の状況に応じて該ストロボ回路を制御しストロボ発光量の調節を可能とする。あるいは、前記制御回路は被写体の状況に応じて該ストロボ回路を制御しストロボ発光タイミングの調節を可能とする。
【０００６】
本発明によれば、セクターはアクチュエータに連動して開閉動作しカメラの露光操作が行なわれる。例えばこのセクターはアクチュエータの回動範囲及び回動速度に応じてその開閉動作範囲及び開閉動作速度が変化する事で露光量の調節が可能になる。一方、アクチュエータは給電量（電圧又は電流）に直接応じて回動範囲及び回動速度が変化する。そして、ＣＰＵ等からなる制御回路は輝度情報に応じて給電回路からアクチュエータに供給される電圧又は電流を変化させている。例えば、被写体の輝度情報が低い場合には給電量が上方に切り換えられる。これにより、アクチュエータの回動範囲及び回動速度が上方に変化し、これに連動するセクターの開閉動作により露光量が上方調節される。この様に、本発明では少なくとも輝度情報に応じて給電量を切り換える事でアクチュエータの回動状態を直接制御し、このアクチュエータと連動するセクターの開閉動作により露光量を調節する。
【０００７】
【発明の実施の形態】
以下図面を参照して本発明の最良な実施形態を詳細に説明する。図１は本発明にかかるカメラ用シャッター装置の全体的な構成を示すブロック図である。図示する様に、本カメラ用シャッター装置はアクチュエータ１とセクター２と給電回路３と測光回路４と制御回路５とストロボ回路６とＩＳＯ情報検出回路８と給送回路７とを備えている。アクチュエータ１は給電により往復回動し、且つ給電量（電圧又は電流）に応じて回動状態（回動範囲及び回動速度）が変化する。本実施形態では、このアクチュエータ１はムービングマグネット型であり、永久磁石１１とコイル１２からなる。永久磁石１１は軸１３を中心として回動可能である。永久磁石１１にはアーム１４が一体的に取り付けられている。アーム１４の先端には作動ピン１５が植設されている。給電回路３を介してコイル１２に通電する事で永久磁石１１が回動する。通電方向を順逆切り換える事で永久磁石１１が往復回動する。セクター（シャッター羽根）２はアクチュエータ１に連動して開閉動作しカメラの露光操作を実行する。セクター２は軸２１を中心として揺動可能であり、アパーチャー２２を開閉する。セクター２の端部には長孔２３が形成されており、これに前述したアクチュエータ１側の作動ピン１５が係合している。なお、図ではセクター２を１枚のみ示しているが、実際には一対のセクターを用いてアパーチャー２２を完全に遮蔽する様にしている。一対のセクターは互いに反対方向に走行する様アクチュエータで駆動される。
【０００８】
給電回路３はアクチュエータ２に可変の給電を行ないその回動状態（回動範囲及び回動速度）を変化させる事で、これに連動するセクター２の動作状態（開閉動作範囲及び開閉動作速度）を制御し露光量の調節が可能になる。測光回路４は露光操作に先立って被写体の輝度情報を取り込む。制御回路５はコンピュータのＣＰＵ等からなり、輝度情報に応じて給電回路３からアクチュエータ１に供給される給電量（電圧又は電流）を変化させて被写体に適した露光量の制御を行なう。具体的には、セクター２はアクチュエータ１の回動範囲及び回動速度に応じてその開閉動作範囲及び開閉動作速度が変化する事で露光量の調節が可能になる。この場合、アクチュエータ１は被写体の輝度が低いほど上方に切り換えられる給電量に応じてその回動範囲及び回動速度が上方に変化し、これに連動するセクター２の開閉動作により露光量が上方調節される。
【０００９】
本実施形態ではストロボ回路６が付属しており、露光操作に同期してストロボ発光を行なう。制御回路（ＣＰＵ）５は少なくとも輝度情報に応じてストロボ回路６を制御し被写体の状況に基づいて必要な場合ストロボ発光を実行する。好ましくは、制御回路５は被写体の状況に応じてストロボ回路６を制御しストロボ発光量の調節を可能にする。又好ましくは、制御回路５は被写体の状況に応じてストロボ回路６を制御しストロボ発光タイミングの調節を可能にする。なお、ＩＳＯ情報検出回路８はカメラに装填されたフィルムのＩＳＯ情報（感度）を自動的に検出し、制御回路５に取り込む為のものである。又、給送回路７はカメラに装填されたフィルムの給送（コマ送り）や巻き戻し等を行なう為に設けられている。
【００１０】
図２は本発明にかかるカメラ用シャッター装置の機械的な構成を示す平面図である。図示する様に、シャッター装置は台板０を用いて組み立てられている。台板０の中央にはアパーチャー２２が形成されている。このアパーチャー２２を覆う様にセクター２が配置している。なお、図示を容易にする為１枚のセクター２のみを示してある。セクター２は台板０に植設された軸２１を中心にして揺動可能である。アクチュエータ１は受板１６を介して台板０に組み込まれている。アクチュエータ１の作動ピン１５はセクター２に形成された長孔２３に係合している。実線で示したセクター２は全閉位置にあり、アパーチャー２２を他のセクター（図示せず）と部分的に重なった状態で完全に遮蔽している。アクチュエータ１が順方向の通電に応じて時計方向に回動するとセクター２は実線で示した位置から点線で示した位置に走行する。点線で示したセクター２は全開位置にあり、アパーチャー２２を完全に開放する。この後アクチュエータ１に逆方向の通電を行なうと反時計方向に回動し、これに応じてセクター２は点線で示した全開位置から実線で示した全閉位置に戻る。
【００１１】
図３は、本発明にかかるカメラ用シャッター装置の電気的な構成を示す回路図である。図１に示した給電回路３は、駆動回路３１とこれを給電する電源可変回路３２とからなる。駆動回路３１はＣＰＵ５から出力されるタイミング信号に応じてアクチュエータ１を通電する。具体的には、この駆動回路３１は電源ライン３３と接地ラインとの間に接続された４個のトランジスタＴＲ３〜ＴＲ６から構成されている。露光操作を行なう場合、ＣＰＵ５から出力されるタイミング信号に応答してＴＲ３とＴＲ６が導通状態となり、アクチュエータ１のコイルに対して順方向通電が行なわれる。所定の時間が経過した後ＣＰＵ５から再び出力されるタイミング信号に応答して今度はＴＲ５とＴＲ４が導通状態となり、アクチュエータ１のコイルに逆方向通電が行なわれる。以上により、アクチュエータ１は往復回動する。
【００１２】
一方、電源可変回路３２はＣＰＵ５から出力される切り換え信号Ｈ／Ｌに応じてその給電量が段階的に切り換え可能である。本例では電源可変回路３２は電源ライン３３と接地ラインとの間に直列接続された分圧抵抗Ｒ１〜Ｒ３を備えており、切り換え信号Ｈ／Ｌに応じて分圧抵抗Ｒ１を切り換える事により給電量（具体的には電源電圧）が多段的に変化する。なお、本例では電源電圧が２段階で変化するが、本発明はこれに限られるものではなく、３段階以上で電源電圧を切り換える様にしても良い。さらに、この電源可変回路３２は切り換え信号に応じて分圧抵抗Ｒ１を切り換える為のトランジスタＴＲ２を備えている。この他、電源ライン３３に介在するトランジスタＴＲ１とオペアンプ３４を含んでいる。オペアンプ３４の出力端子はＴＲ１のベース端子に接続しており、ＴＲ１の導通制御を行なう。オペアンプ３４の一方の入力端子には参照電圧Ｖｒｅｆとして例えば１Ｖが印加されている。オペアンプ３４の他方の入力端子は分圧抵抗Ｒ２とＲ３の中点Ｐに接続している。ここで、３個の分圧抵抗Ｒ１〜Ｒ３は全て等しい抵抗値を有し、且つ電源ライン３３に供給される電源電圧は３Ｖであるとする。ＣＰＵ５から切り換え信号Ｈが出力されるとＴＲ２は非導通状態に置かれる。従って、３個の分圧抵抗Ｒ１〜Ｒ３は電源ラインと接地ラインの間に直列で介在する事になる
。電源電圧３Ｖは分圧抵抗Ｒ１〜Ｒ３により抵抗分割され、中点Ｐには１Ｖの電位が現われる。オペアンプ３４は中点Ｐの電位を１Ｖに維持する様ＴＲ１を開閉制御する。この結果、電源ライン３３には切り換え信号Ｈに応じて電源電圧３Ｖが現われる。これがそのまま駆動回路３１に給電される。一方、ＣＰＵ５から切り換え信号Ｌが出力されるとＴＲ２が導通状態となり、分圧抵抗Ｒ１が直列接続から除かれる事になる。この場合でもオペアンプ３４は中点Ｐの電位を１Ｖに維持する様ＴＲ１を制御するので、結果的に電源ライン３３には２Ｖの電源電圧が現われる事になる。これが駆動回路３１に供給される。以上の様に、電源可変回路３２はＣＰＵ５から出力される切り換え信号Ｈ／Ｌに応じて電源電圧を２段階で切り換える。
【００１３】
測光回路４は光電センサ４１と比較器４２と３個の抵抗Ｒ４〜Ｒ６から構成されている。光電センサ４１は外部光量に応じた電圧信号を比較器４２に供給する。比較器４２はこの電圧信号を比較処理して二値化された輝度情報をＣＰＵ５側に供給する。ＣＰＵ５はこの輝度情報に応じて前述した切り換え信号Ｈ／Ｌを電源可変回路３２側に出力する。具体的には、二値化された輝度情報が低レベル側にある時切り換え信号Ｈを出力する一方、輝度情報が高レベル側にある時切り換え信号Ｌを出力する。即ち、被写体輝度が比較的低い場合駆動回路３１に高電圧が供給され、被写体輝度が比較的高い場合低電圧が駆動回路３１側に給電される。
【００１４】
ストロボ回路６はキセノンランプ６１と主コンデンサＣ１と転流コンデンサＣ２とサイリスタ等からなるオン用スイッチＳＣＲ１と同じくサイリスタ等からなるオフ用スイッチＳＣＲ２とで構成されている。キセノンランプ６１は露光操作に同期してストロボ発光を行なう。ＣＰＵ５は少なくとも輝度情報に応じてＳＣＲ１及びＳＣＲ２を制御し被写体の状況に基づいて必要な場合ストロボ発光を実行する。ＣＰＵ５はさらに被写体の状況に応じてＳＣＲ１及びＳＣＲ２のオン／オフ制御を行ないストロボ発光量及びストロボ発光タイミングを調節可能にする。この様に、本実施形態は自動ストロボ制御機能を備えている。即ち、本実施形態では被写体輝度に加え被写体距離さらには被写体表面からの反射を拾い、これらに応じてストロボ発光量及びストロボ発光タイミングを自動的に制御している。例えば、逆光で撮影を行なう場合、輝度情報が十分であるにも関わらずストロボ発光を行なって被写体の鮮明な撮像が得られる様にしている。場合によっては、ストロボ発光タイミングを変えて所謂山腹発光とピーク発光の切り換えを可能にしている。
【００１５】
次に、図４を参照して、本発明にかかるカメラ用シャッター装置の動作を詳細に説明する。（Ａ）はアクチュエータに印加される電圧の経時変化を表わしている。実線は切り換え信号Ｈに応じて給電される駆動電圧ＶＨの変化を示しており、１点鎖線は切り換え信号Ｌに応じて給電される駆動電圧ＶＬを表わしている。露光操作を行なう為レリーズスイッチが投入されると、タイミングｔ１で＋ＶＨ又は＋ＶＬがアクチュエータに通電される。次のタイミングｔ２でこの順方向通電がオフになる。同時に、−ＶＨ又は−ＶＬがアクチュエータに印加され逆方向通電が行なわれる。最後のタイミングｔ３で逆方向通電がオフになる。
【００１６】
（Ｂ）はアクチュエータの通電に応じたシャッター開口径の経時変化を表わしている。実線ＳＨがＶＨに応じた開口径変化を表わし、１点鎖線ＳＬがＶＬに応じた開口径変化を表わしている。比較的高電圧の＋ＶＨが印加されるとセクターは休止位置から全開位置まで高速走行し、ストッパ（図示せず）に規制されて停止する。その後、−ＶＨに応答して休止位置まで戻る。なお、セクターが休止位置から始動した後しばらくの間アパーチャーは全閉状態に保たれ、これを過ぎると開口径はピンホール状態から全開状態に向かって拡大していく。一方、比較的低電圧の＋ＶＬが印加されると、セクターは比較的低速度で走行し、タイミングｔ２でも全開位置に至らない。この後、−ＶＬに応答してセクターは休止位置まで戻る事になる。この様に、ムービングマグネットタイプ等からなるアクチュエータは電圧等の給電量に動作特性が依存している。この結果、アクチュエータに対する給電量に応じてシャッターの開口径や秒時が変化する事になる。図示の例では、給電量が高いと到達開口径が大きくなると共に秒時Ｔも長くなる。これに対し、給電量が比較的低いと到達開口径が小さく且つ秒時Ｔ−ｘも短くなる。
【００１７】
図５は撮影範囲を模式的に表わしたものであり、（Ａ）は従来の撮影範囲を示し、（Ｂ）は本発明により得られる撮影範囲を示している。（Ａ）に示す従来例では電源電圧の切り換えを行なっておらず、電源電圧はＶＨに固定されている。従って、シャッター開口径の経時変化は図４の（Ｂ）に示したＳＨで表わされるものだけである。今、カーブＳＨではＡＶ値が５であり、ＴＶ値が７であると仮定する。なお、ＴＶ値は図４の（Ｂ）に示した秒時Ｔに対応する数値であり、秒時が大きいほどＴＶ値は小さくなる。一方、ＡＶ値は図４の（Ｂ）に示した開口径に対応した数値であり、開口径が大きいほどＡＶ値は小さくなる。なお、ＡＶ５はＦ５．６に対応している。又、ＴＶ７は秒時１／１２５に対応している。この場合、適正な露出値ＥＶはＡＶ５＋ＴＶ７＝ＥＶ１２となる。一般にフィルムの感度特性を考慮した自動焼き付けの場合には±１ＥＶ程度までは問題なく補正焼き付けする事が可能である。これにより、従来例ではＥＶ１１〜ＥＶ１３程度までの撮影範囲が確保できる。
【００１８】
（Ｂ）に示す本発明の例では電源電圧の２段切り換えを行なっており、図４の（Ｂ）に示したＳＨの他にＳＬを選択する事ができる。今ＳＬではＡＶ６（Ｆ８）とＴＶ８（１／２５０）が得られるとする。この場合、適正な露出値ＥＶはＡＶ６＋ＴＶ８＝ＥＶ１４となる。さらに、その両側±１ＥＶ程度は略問題なく焼き付け可能である。従って、本実施例によれば電源電圧の２段切り換えを採用する事で撮影範囲がＥＶ１１からＥＶ１５程度まで拡大する事ができる。さらに、切り換え段数を増やす事により撮影範囲を拡大できる。又、本発明ではストロボ発光を組み合わせる事により、撮影範囲がＥＶ９程度まで拡大している。この場合、自動ストロボ発光制御を採用する事で被写体の状況に即した細かい露出制御が可能である。
【００１９】
最後に図６のフローチャートを参照して、本発明にかかるカメラ用シャッター装置の全体的な動作をまとめる。先ずステップＳ１で測光を行ない被写体の輝度情報を取り込む。次にステップＳ２で輝度情報及びその他の被写体情報やフィルム感度情報等に基づいて所定のアルゴリズムに従い露光制御の為の演算を実行し、ステップＳ３に進む。ここで、前述した演算結果に基づきＣＰＵから出力された切り換え信号がＨ又はＬの何れかであるか判断する。Ｌの場合にはステップＳ４に進み電源電圧を低レベル側に切り換える。この後ステップＳ５に進む。一方切り換え信号がＨの場合には電源電圧切り換えを行なう事なく高レベルに維持したままステップＳ５に進む。ここでタイミングｔ１（図４参照）に至ったら順方向通電をオンする。これと同時に、ステップＳ６でタイマーをスタートさせ経過時間ｔを計数する。ステップＳ７でストロボ発光を行なうべきかどうか判断する。ストロボ発光を行なわない場合はステップＳ１３に分岐することなくステップ８へ進む。ステップＳ８で経過時間ｔが次のタイミングｔ２に至ったかどうか判断する。ｔ＝ｔ２になるとステップＳ９で順方向通電をオフする。この後すぐにステップＳ１０で逆方向通電をオンする。ステップＳ１１でｔ＝ｔ3 までしばらく維持する。最後にステップＳ１２で逆方向通電をオフする。これにより、図４の（Ｂ）に示したカーブＳＨ又はＳＬの何れかに従った露光操作が実行される。なお、アクチュエータが常に休止状態に復帰可能な構造を有する場合には、ステップＳ１０〜ステップＳ１２の逆方向通電処理は行なっても行なわなくても良い。一方ステップＳ７でストロボ発光が必要と判断された場合、操作手順は上述したステップＳ８側に進むと共にステップＳ１３側にも分岐する。ステップＳ１３でストロボ発光をオンさせるタイミングに至ったかどうか判断する。このタイミングに至った場合にはステップＳ１４で実際にストロボを発光させる。その後、ステップＳ１５で所定の発光時間が経過したらストロボをオフする。このステップＳ１３〜Ｓ１５を介したストロボ発光はステップＳ３〜ステップＳ１２を介した露光操作と同期して行なわれる。
【００２０】
【発明の効果】
以上説明した様に、本発明によれば、輝度情報に応じて給電回路からアクチュエータに給電される給電量を段階的に変化させて被写体に適した露光量の制御を行なっている。これにより、従来に比し撮影範囲を拡大化できる。さらに、ストロボ発光を併用すれば撮影範囲を一層拡大できる。本発明にかかるカメラ用シャッター装置はアクチュエータの電圧応答特性をそのまま利用して電源電圧の切り換えによりセクターの開閉動作範囲及び開閉動作速度を制御している。従って、電気的に極めて簡略化された構成で且つ機械的にもスペースファクターを犠牲にしない露出制御が可能になる。
【図面の簡単な説明】
【図１】本発明にかかるカメラ用シャッター装置の全体的な構成を示すブロック図である。
【図２】本発明にかかるカメラ用シャッター装置の機械的な構成を示す平面図である。
【図３】本発明にかかるカメラ用シャッター装置の電気的な構成を示す回路図である。
【図４】本発明にかかるカメラ用シャッター装置の動作説明に供するタイミングチャートである。
【図５】同じく本発明にかかるカメラ用シャッター装置の動作説明に供する模式図である。
【図６】同じく本発明にかかるカメラ用シャッター装置の動作説明に供するフローチャートである。
【符号の説明】
１…アクチュエータ、２…セクター、３…給電回路、４…測光回路、５…制御回路（ＣＰＵ）、６…ストロボ回路、１１…永久磁石、１２…コイル、１３…軸、１４…アーム、１５…作動ピン、２１…軸、２２…アパーチャー、２３…長孔、３１…駆動回路、３２…電源可変回路、３３…電源ライン、４１…光電センサ、６１…キセノンランプ
【図１】
0004163762.tif 000002
【図２】
0004163762.tif 000003
【図３】
0004163762.tif 000004
【図４】
0004163762.tif 000005
【図５】
0004163762.tif 000006
【図６】
0004163762.tif 000007